(57)【要約】      （修正有）【課題】一般家庭やオフィスの電気機器等の電気コードを安全に且つ自由に長さを調整する電気コード長さ調整収束器具を提供する。【解決手段】ゴムコードホルダー１に電気コードを付け外し出来る電気コードホルダー３を設ける。ゴムコード４の両端にストッパー６を設けゴムコードホルダー１の開口部からゴムコード４を入れて、複数のゴムコードホルダー１を付ける。プラスチック製のパイプ７に設けた凹みにゴムコード４に付けた複数のゴムコードホルダー１を仮固定して、余った電気コードをパイプに巻きつけながら電気コードホルダー３に固定してコイル状にして、プラスチック製のパイプを中から抜き取ると、余った電気コードをコンパクトなコイル状電気コードにする事が出来る。【選択図】図１
2007135381.tif 000002
【特許請求の範囲】
【請求項１】
ゴムコードに、電気コードを付け外し出来るホルダーを複数付けた、電気コード長さ調整収束器具。
【請求項２】
ゴムコードに、電気コードを付け外し出来るホルダーを複数付け、ゴムコードの両端に意匠を設けた、請求項１の電気コード長さ調整収束アクセサリー。
【請求項３】
ゴムコードの両端に意匠を設けた、カールコードアクセサリー。
【発明の詳細な説明】
【技術分野】
【０００１】  本発明は、一般家庭やオフィスの電気機器等の電気コードを安全に且つ自由に長さを調整する電気コード長さ調整収束器具に関するものである。
【背景技術】
【０００２】  従来、電気機器等の電気コードは長さの調整が出来る物が少なく、電源コンセントが最適の場所に無い場合、余った電気コードが美観を損ねていた。
従来、それぞれの場所で関係のある複数の電気機器等が集中する事により電気コードが絡まり美観を損ね、又常時接続状態の電気機器等が多いために電気コードの発熱による火災の危険があった。
従来、電気コードには殆ど伸び縮みが無いため電気機器等の移動や電気コードの引っ掛けにより、電源コンセントから電源プラグの脱落や電気機器等の電気コードと回路基盤との電気接続部分を破損することがあった。
従来、電気コードをコイル状にしたカールコードがあるが、コイル状部分の位置、長さ、バネ性の調整等を使用者がする事は出来なかった。
従来、通常の直線状の電気コードをコイル状にしてもカールコードの様なバネ性を持たせる事は難しかった。
従来、カールコードを意匠の一部とするアクセサリーが無かった。
【特許文献１】特許公開２００１−３５８４７２号公報
【特許文献２】特許公開２００２−１３４９５２号公報
【特許文献３】特許公開２００４−１０４９８０号公報
【特許文献４】特許公開２００３−１７４７１４号公報
【特許文献５】特許公開２０００−２０９７５３号公報
【特許文献６】特許公開２００３−２０９９１５号公報
【特許文献７】特許公開２００３−２０９３７７号公報
【特許文献８】特許公開２００２−３５４６３６号公報
【特許文献９】特許公開２００３−１８７２８号公報
【特許文献１０】特許公開２００５−３３８７１号公報
【特許文献１１】特許公開２０００−２２９６５８号公報
【特許文献１２】特許公開２００２−７８１３９号公報
【特許文献１３】特許公開２００２−１２４７８２号公報
【特許文献１４】特許公開２００２−１２５７８６号公報
【特許文献１５】特許公開２００１−２２６１４２号公報
【特許文献１６】特許公開２０００−２５２６４８号公報
【特許文献１７】特許公開２００１−１６１０２０号公報
【特許文献１８】特許公開２００１−３０９５３０号公報
【特許文献１９】特許公開２００１−３１６０４５号公報
【特許文献２０】特許公開平９−２９３９７８号公報
【特許文献２１】特許公開平９−１４００４０号公報
【特許文献２２】特許公開平８−２０４３５７号公報
【特許文献２３】特許公開平１０−２０３７３５号公報
【特許文献２４】特許公開平７−１４７１１３号公報
【特許文献２５】実用新案公開平６−４１０２６号公報
【特許文献２６】実用新案公開平５−４３４２０号公報
【特許文献２７】実用新案公開平６−４１０２７号公報
【特許文献２８】実用新案公開平６−７０３９４号公報
【特許文献２９】実用新案公開平７−３９５４８号公報
【特許文献３０】実用新案公開平５−４７６７７号公報
【特許文献３１】実用新案公開平７−１８１８号公報
【特許文献３２】登録実用新案第３０６７９８６号公報
【特許文献３３】登録実用新案第３０５７９３９号公報
【特許文献３４】登録実用新案第３０７５７７９号公報
【特許文献３５】登録実用新案第３０７５７７８号公報
【特許文献３６】登録実用新案第３０６０９４０号公報
【特許文献３７】登録実用新案第３１０３５３４号公報
【特許文献３８】登録実用新案第３０６０８３０号公報
【特許文献３９】登録実用新案第３０５０１８１号公報
【特許文献４０】国際公開番号ＷＯ９７／０１９４６号公報
【発明の開示】
【発明が解決しようとする課題】
【０００３】  そのために、次のような問題点があった。
従来、電気機器等の電気コードは長さの調整が出来る物が少なく、個々の使用環境の違いによる電源コンセントの位置が最適の場所に無ければ、電気コードが長すぎるか又は短いために別の延長電気コード等を使用していた、そのために余った電気コードが美観を損ねていた。その対策として余った電気コードを巻き取る、束ねる、ケースへ収納する等の方法が有るがその状態で電気機器等を使用すると電気コード同士が密着した状態により発熱し火災の起きる危険があり、そのままでは使用できなかった。関係のある複数の電気機器等が使用場所に集まる事により複数の電気コードが絡まり美観を損ねる、又常時接続状態の電気機器等が多いために絡まり合う電気コードの接触による発熱火災の危険があった。電気コードには殆ど伸び縮みが無いため電気機器等の移動や電気コードの引っ掛けにより電源コンセントから電源プラグの脱落や電気機器等の電気コードと回路基盤との電気接続部分を破損することがあった。従来コイル状にしたカールコードが有るが、自由にコイル状部分の位置や長さ、径、バネ性の強さの調整は出来ず、又コード同士がねじれて絡まりやすく、使用状態によりバネ性が次第に失われて伸縮性が劣化すると見栄えが悪かった。カールコードのバネ性が強すぎると引き伸ばすのに大きな力が必要になり又電気コードの場合は密着した状態により発熱し火災の起きる危険があった。従来、通常の直線状の電気コードを使用者がコイル状にしてもカールコードの様なバネ性を持たせる事は難しく、外力が掛かると元には戻らなかった。従来、カールコードは機器と機器の間を伸縮自在にして繋ぐために使用していたため、カールコードのコイル状部分を意匠の一部とするアクセサリーが無く見える部分に使用されているにもかかわらずデザイン性に乏しかった。
本発明は以上の問題点を解決しようとするものである。
【課題を解決するための手段】
【０００４】  図１  ゴムコードホルダー（１）に電気コード（２）を付け外し出来る電気コードホルダー（３）を設ける。ゴムコード（４）の両端にストッパー（６）を設けゴムコードホルダー（１）の開口部からゴムコード（４）を入れて、複数のゴムコードホルダー（１）を付ける。プラスチック製のパイプ（７）に設けた凹み（８）にゴムコード（４）に付けた複数のゴムコードホルダー（１）を仮固定して、余った電気コード（２）をパイプに巻きつけながら順次電気コードホルダー（３）に嵌め込んで固定してコイル状（１１）にする。プラスチック製のパイプ（７）をコイル状にした電気コードの中から抜き取り、余った電気コード（２）をコンパクトなコイル状電気コードに出来る。通常の状態ではゴムコード（４）によりコイル状部分は短い状態を保ちながら電気コードホルダーが間にあるため電気コード同士が接触するのを防ぎ、電気コードや電気機器に力が加わるとゴムコードとコイル状部分が伸び、再び力が加わらなくなると元の状態に戻る。
以上を特徴とする電気コード類等の線状体の長さ調整収束器具である。
【発明の効果】
【０００５】  本発明は、余分な電気コード等を任意の位置でコイル状に巻きその状態を維持する事によりコイル状にした電気コード等をコンパクトに保ちながら電気コードホルダーの突起が電気コード間にあることで電気コード同士が接触すること無く等間隔で固定できる。不意の電気コード等の引っ掛けや、電気機器の移動の際に、コイル状に巻いた電気コード部分とゴムコードが延びることにより、コンセントプラグの抜け外れや、電気機器の基盤と電気コード等の接続部分の破損を防ぎ、再び力が加わらなくなると元のコンパクトな状態に戻る。電気コードのコイル状部分の巻き径、巻く回数、コイルの間隔、ゴムコードホルダーの数、電気コードの直線部の長さ、を変更し組み合わせる事により最適な長さ調整と収束の状態を選択することが出来る。コイル状に巻いた部分にゴムコードが通る事により同じ様にコイル状にした複数の電気コードが捩れかみ込み絡まるのを防止する。ゴムコードホルダーは開口部からゴムコードを出し入れする事により必要に応じてその数を増減できる。ゴムコードホルダーはゴムコードを引っ張ることによる直径の変化を利用して任意の位置と間隔で固定できる。コイル状に巻いた部分のバネ性の強さをゴムコードの引っ張り強さを利用して調整出来る。コイル状部分はどの方向にも自在に曲げる事が出来るため設置場所の形状に合わせることが出来る。使用状態の変化に合わせてコイル状部分の場所の変更や必要がなくなった場合は電気コード等を元の状態に戻せる。コイル状に巻いた部分の前後に意匠部品を付ける事によりコイル状に巻いた電気コード部分の形状もデザインの一部とした、機能とデザイン性を合わせ持つアクセサリーとして使用できる。直線状の電気コードを使用者が使用状態に合わせて任意の位置でコイル状部分の長さや大きさバネ性等に調整して、カールコードと同じ様に使用できる。
【発明を実施するための最良の形態】
【０００６】以下、本発明の実施の形態を説明する。
（イ）図２  ゴム素材やプラスチック等の弾力蘇生力のある素材で作ったゴムコードホルダー（１）に電気コード（２）等を付け外し出来る電気コードホルダー（３）を一体成形又は接着により、ゴムコードホルダー（１）に対して電気コード（２）が直角に交わる様に突起（５）を一対設ける。
（ロ）電気コードホルダー（３）の突起（５）はゴムコードホルダー（１）の両端に設け、材質の弾力性により電気コード（２）を押し込み入れる際に少しひろがり、内部に入った後は元に戻り電気コードを押さえ又固定後は簡単に外れない形状とする。
（ハ）ゴムコードホルダー（１）の内径はゴムコード（４）を引き伸ばした状態では遊動し、ゴムコードが通常の引き伸ばされていない状態の時はゴムコードホルダー（１）の内径に密着して動かない大きさにする。
（ニ）ゴムコードホルダー（１）にゴムコード（４）を引き伸ばし細くした状態で開口部からゴムコード（４）を押し込み入れる。その時開口部の間隔は材質の弾力性により少しひろがり、ゴムコードが内部に入った後は元に戻り、ゴムコード（４）を引き伸ばした状態でゴムコードホルダーが遊動してもゴムコードから外れない間隔とする。
（ホ）ゴムコード（４）は伸縮する素材で、引き伸ばし細くした状態の時ゴムコードホルダー（１）の開口部からゴムコードホルダー内に押し込み入れる事が出来、又ゴムコードを引き伸ばした状態でゴムコードホルダーが遊動し、通常の引っ張られていない状態のときはゴムコードホルダーの内径に密着して動かない直径にする。
（ヘ）ゴムコード（４）は伸び縮みするゴム単体又はゴムを被服等で覆った物を使用する。又バネやその他の伸び縮みする物でも良い。
（ト）ゴムコード（４）の両端は結び瘤、カシメ、接着剤等を用いてストッパー（６）を設け、ゴムコードホルダー（１）が横から抜けて外れない様にする。
（チ）使用する電気コード（２）等の大きさや形状に合わせてゴムコードホルダー（１）、電気コードホルダー（３）ゴムコード（４）のサイズを変更する。
（リ）図１  ゴムコードホルダー（１）の開口部にゴムコード（４）を引き伸ばし細くした状態にして押し込み入れ、ゴムコードホルダーを複数付ける。
（ヌ）図３  プラスチック製のパイプ（７）にゴムコードホルダー（１）の入る凹み（８）を設け両端にストッパー（６）を仮固定する切込み（９）を設ける。
本発明は以上の構成からなるので、本発明を使用するときはプラスチック製のパイプ（７）の凹み（８）に、ゴムコード（４）に複数取り付けたゴムコードホルダー（１）を電気コードホルダー（３）が外側になる様に入れ、両端の切込み（９）にゴムコード（４）のストッパー（６）を仮固定する。電気コード（２）等の線状体の余分な長さだけ任意の位置でプラスチック製のパイプ（７）の外周に巻き付けながら順次電気コードホルダー（３）に嵌め込んで固定し電気コード（２）等をコイル状（１１）にする。その後両端のストッパー（６）を切込み（９）から外しコイル状（１１）にした電気コード（２）の中からプラスチック製のパイプ（７）を抜き取る事により、図４コイル状電気コードが出来る。余った部分の電気コードを伸び縮みするコイル状に巻く事によりコンパクトな状態を保ちながら電気コードホルダー（３）の突起（５）が間にある事により等間隔を保ち電気コード（２）同士が接触することを防ぐ。電気コード（２）の不意の引っ掛け等によるコンセントの抜け外れ等を、コイル状部分とゴムコードが伸びる事により防ぎ再び力が加わらなくなると元の状態に戻る。電気コード等のコイル状の形状を維持した状態でどの方向にも自在に曲げる事が出来る。通常の電気コード等を任意の位置と長さで、カールコードと同じ特性を持たせる事が出来る。上記の特徴を持ち電気コード等の線状体の長さ調整収束をする事が出来る。
【発明を実施するための最良の形態】
【実施例１】
【０００７】（イ）図５  ゴム素材やプラスチック等で平面形又は立体形の動、植物、キャラクター等様々のジャンルの意匠部品（１０）を関連の有る二個の意匠部品を一組として設ける。
（ロ）意匠部品（１０）にゴムコード（４）のストッパー（６）を取り付ける事の出来る様にホルダー、フック、穴、等の取り付け部分を平面形、立体形などの意匠の形状等に合わせて最適の方法と位置で設ける。
（ハ）ゴムコード（４）の両端に関連の有る一組の意匠部品（１０）を、嵌め込みや接着等を用いて取り付け、間にゴムコードホルダー（１）を複数取り付ける。
（ニ）意匠部品（１０）の間のゴムコードホルダー（１）に付いている電気コードホルダー（３）に余った電気コード（２）をコイル状（１１）に巻きながら順次ホルダーに嵌め込んで、デザイン性のあるコイル状電気コードが出来る。
（ホ）意匠部品（１０）はコイル状（１１）にした電気コードの外径と同じかもしくは大きくしてコイル状部分の端を押さえ、内径の中に一部分が入りコイル状部分から外れる事の無い様にする。又この部分にもコードホルダーを設ける事も出来る。
（ヘ）電気コード（２）等を固定する電気コードホルダー（３）の突起（５）の位置、長さ、数、形状、サイズは前後に設ける意匠の種類や形状と電気コード（２）のコイル状（１１）部分の巻き形状に合わせて変更する。
（ト）コイル状にした電気コードの中心にゴムコード（４）を通す場合は、意匠部品（１０）の中心にゴムコード（４）をつけて、ゴムコードホルダー（１）から電気コードまで電気コードホルダー（３）がとどく様に長くして、片方か両側に電気コードホルダーを設ける。
（チ）意匠部品（１０）をゴムコード（４）に嵌め込みや接着剤等で直接つけて、ストッパー（６）の代わりにしても良い。
本発明は以上の構成からなるので、意匠部品（１０）を付ける事により電気コード（４）等の線状体の長さ調整収束機能を持ちながら通常の電気コード等を任意の位置と長さで、カールコードと同じ様な特性を持たせる事が出来ると同時にコイル状に巻いた形状も意匠の一部として見た目を楽しくしたアクセサリーとする。
【実施例２】
【０００８】（イ）意匠部品（１０）の間を棒状部品で一体成形又は接着により接続し、この部分に電気コード（２）等を固定する電気コードホルダー（３）を複数設け左右にスライドする様にする。
（ロ）意匠部品（１０）と電気コードホルダー（３）、ゴムコードホルダー（１）を一体にする。
（ハ）意匠部品（１０）をぬいぐるみ等で作る。
（ニ）意匠部品（１０）と電気コードホルダー（３）ゴムコード（４）ゴムコードホルダー（１）を伸び縮みする材質で一体に成形する。
（ホ）意匠部品（１０）を二つ以上にしてコイル状（１１）の両端の他、間にも設ける。
（ヘ）電気コード（２）等をコイル状（１１）状にした後、両側に意匠部品（１０）を付ける。
（ト）電気コード（２）等のコイル状（１１）部分の巻き形状を意匠部品（１０）に合わせて変化を付ける。
（チ）意匠部品（１０）の間に弾性力を有する軟質材料で成形した中空の内部を有する収納意匠ケースに出し入れするための口を儲け、電気コード（２）のコイル状（１１）部分を入れる。
（リ）意匠部品（１０）を二つに割れる様にして、その間に電気コード（２）を挟み押さえ電気コードを固定できる様にする。
（ヌ）意匠部品（１０）に電気コード（２）等を付け外し又は通すためのホルダー、フック、穴、スリット、ピンチ等を設ける。
（ル）ゴムコード（４）の両端に違う種類の意匠部品（１０）を組み合わせて付ける。
（ヲ）図６ゴムコード（４）の両端に意匠部品（１０）を付けた物を、カールコードのコイル状の間に巻きつける様にしてコイル状の中にゴムコードを通し、カールコードの両側に意匠部品（１０）が来る様にしたカールコードアクセサリー。
（ワ）カールコードの両端に意匠部品（１０）を付けたカールコードアクセサリー。
（カ）意匠部品（１０）にホルダー、フック、穴、スリット、ピンチ、ストラップコード等を設けて他の物と付ける事が出来る様にする。
【実施例３】
【０００９】（イ）電気コード（２）等を固定する電気コードホルダー（３）を一つのゴムコードホルダー（１）の上下左右に複数組設ける。
（ロ）電気コードホルダー（３）の形状をフック状にする。
（ハ）ゴムコードホルダー（１）から電気コードホルダー（３）までの間を長くする。
（ニ）電気コードホルダー（３）を面状ファスナーとする。
（ホ）電気コードホルダー（３）の突起（５）を長くする。
（ヘ）電気コードホルダー（３）を櫛状にして片側や両側に設ける。
（ト）電気コードホルダー（３）を突起部に穴の開いたベルトを差込固定する。
（チ）ＵＳＢコード、携帯音楽プレイヤー用ヘッドホンコード等の発熱する危険の少ない電気コード（２）の場合はコイル状（１１）部分の両端を電気コードホルダー（３）で固定しその他の中間部分は電気コードホルダーを省略しても良い。
【実施例４】
【００１０】（イ）ゴムコードホルダー（１）のゴムコード（４）を押し込み入れる部分を並行に複数設けストッパー（６）の位置を変える事により、ゴムコードの長さと、引っ張り強さを調整出来るようにする。
（ロ）ゴムコードホルダー（１）の開口部を設けずに穴状にして、ゴムコード（４）を両端の穴の部分から通す。
（ハ）複数のゴムコードホルダー（１）を一体にしてこれに電気コードホルダー（３）を複数設ける。
【実施例５】
【００１１】（イ）ゴムコード（４）の代わりにプラスチック又は金属製の棒を用いてゴムコードホルダー（１）が左右に遊動する様にする。
（ロ）ストッパー（６）の代わりにゴムコード（４）の長さを調節出来るコードストッパーを用いる。
（ハ）ゴムコード（４）の端にゴムコードホルダー（１）を接着して固定する。
（ニ）ゴムコード（４）の端にループを設け、フック等に掛ける事が出来る様にする。
（ホ）ゴムコード（４）を帯状のゴムコード（１６）として、ゴムコードホルダー（１）の形状もこれに合わせた、長さ調整と固定の出来るバンドホルダー（１５）状にして、これに３  電気コードホルダーを設ける。
【実施例６】
【００１２】（イ）コイル状（１１）にした電気コード（２）等、ゴムコード（４）やゴムコードホルダー（１）の片方又は両端に吸盤、両面テープ、フック、磁石等を用いて電気器具、家具、壁等のそれぞれの取り付け場所に最適の方法で縦、横向きに取り付ける。
（ロ）コイル状（１１）の電気コード（２）の中に細いパイプや棒を通して両端に吸盤、両面テープ、フック、磁石等を用いて電気器具、家具、壁等のそれぞれの取り付け場所に最適の方法で縦、横向きに取り付ける。
（ハ）意匠部品（１０）に吸盤、両面テープ、フック、磁石、穴等を用いて電気器具、家具、壁等のそれぞれの取り付け場所に最適の方法で縦、横向きに取り付ける。
【実施例７】
【００１３】（イ）コイル状（１１）にした電気コード（２）等の外側に本発明を付ける。
（ロ）電気コード（２）等を電気コードホルダー（３）に波型に取り付ける。
（ハ）プラスチック製のパイプ（７）を使用せずに電気コード（２）等をコイル状にして本発明を付ける。
【実施例８】
【００１４】（イ）意匠部品（１０）の間を、板状電気コードホルダー（１４）をクランク状に組み合わせて伸び縮み出来る様にする。
（ロ）前後の意匠部品（１０）の間を伸び縮みする材質又は構造として、電気コード（２）を前後の意匠部品（１０）に設けた電気コードホルダー（３）に固定してその間に電気コードをコイル状（１１）に巻きつける。
【実施例９】
【００１５】本発明をエアーチューブ、液体チューブ、アクセサリー用カールコード、その他の線状体の長さ調整収束に用いる。
【図面の簡単な説明】
【００１６】
【図１】本発明の斜視図
【図２】ゴムコードホルダーと電気コードホルダーの斜視図
【図３】凹みの有るプラスチック製パイプの斜視図
【図４】本発明の使用状態を示す部分断面側面図
【図５】本発明の使用状態を示す側面図
【図６】カールコードに意匠部品を付けた部分断面側面図
【符号の説明】
【００１８】  １  ゴムコードホルダー
２  電気コード
３  電気コードホルダー
４  ゴムコード
５  突起
６  ストッパー
７  プラスチック製のパイプ
８  凹み
９  切込み
１０  意匠部品
１１  コイル状
１２  カールコード
【図１】
2007135381.tif 000003
【図２】
2007135381.tif 000004
【図３】
2007135381.tif 000005
【図４】
2007135381.tif 000006
【図５】
2007135381.tif 000007
【図６】
2007135381.tif 000008